(57)【要約】      （修正有）【課題】構造が簡単で且つコストが低い給紙システムを提供する。【解決手段】給紙システムにおいて、給紙アセンブリが基台上に取り付けられ且つ給紙トレイ下方に位置する。紙押圧アセンブリは、紙押圧トレイラック５１、紙押圧トレイ５２、歯車軸５３、アーム５４及び弾性部材５５、を含み、アームの一端が歯車軸の一端に固定設置され、他端が歯車軸により歯車軸の回転を連動し、紙押圧トレイ内に滑動設置される。紙係止アセンブリが紙係止部材６１及び接続部材６２を含み、紙係止部材が給紙トレイに垂直に紙押圧トレイラック上に取り付けられ、接続部材一端が紙押圧トレイ上に枢着し、他端が紙係止部材上端に枢着する。伝動アセンブリが歯車軸の回転を伝動し、アームの振動を連動させ、紙押圧トレイを上向きに引き動かし、紙押圧トレイラックと揃うまで引き上げ、接続部材が紙係止部材の下向き移動を連動し、紙係止に用いられる。【選択図】図２
0003189147.tif 000002
【実用新案登録請求の範囲】
【請求項１】
基台と、
基台上に固定設置される伝動アセンブリと、
後端が基台上に枢着する給紙トレイと、
基台上に固定設置され、且つ給紙トレイ下方に位置する給紙アセンブリと、
伝動アセンブリにより駆動され、基台上に固定設置され、給紙トレイ上方に位置する紙押圧アセンブリであり、該紙押圧アセンブリは、紙押圧トレイラックと、紙押圧トレイラック内に取り付けられる紙押圧トレイと、紙押圧トレイラック上に取り付けられ且つ伝動アセンブリの伝動を受ける歯車軸と、少なくとも１つのアームと、紙押圧トレイラック及び紙押圧トレイの間に取り付けられる弾性部材と、を含み、アームの一端が歯車軸の一端に固定設置され、他端が歯車軸により歯車軸の回転を連動し、紙押圧トレイ内に滑動設置される紙押圧アセンブリと、
紙押圧トレイ及び紙押圧トレイラック上に取り付けられる紙係止アセンブリであり、該紙係止アセンブリは、紙係止部材及び接続部材を含み、紙係止部材は、給紙トレイに垂直に紙押圧トレイラック上に取り付けられ、接続部材一端は、紙押圧トレイ上に枢着し、他端は、紙係止部材上端に枢着する紙係止アセンブリと、
を含み、そのうち、伝動アセンブリは、歯車軸の回転を伝動し、アームの振動を連動させ、紙押圧トレイを上向きに引き動かし、紙押圧トレイラックと揃うまで引き上げ、同時に弾性部材のバネのポテンシャルエネルギーを克服する必要があり、接続部材は、紙係止部材の下向きの移動を連動し、紙を係止することに用いられ、
該伝動アセンブリが反転して紙を動かす時、伝動アセンブリは、歯車軸を離脱し、アーム上の紙押圧トレイを上げる拘束力を消失させ、弾性部材が弾性ポテンシャルエネルギーを利用して紙押圧トレイを下方へ移動させ、紙係止部材の上向きの移動を連動し、紙係止機能を消失させる給紙システム。
【請求項２】
前記紙押圧トレイラック前端中部に収容溝を開設し、紙押圧トレイラックは、収容溝内に収容され、紙押圧トレイラックの収容溝の両側の溝壁付近の後端箇所にそれぞれ上下に延伸する係止片を内向きに凸設形成し、各係止片及び収容溝後端の溝壁の間に第１ガイド滑動溝を形成し、紙押圧トレイラックの収容溝前端溝壁上に上下に延伸する２つの第２ガイド滑動溝を開設し、紙押圧トレイは、周板、２つの側板及び前板を有し、２つの側板後端縁にそれぞれ外向きに第１ガイド滑動ブロックを延伸形成し、前板上に上下に延伸する２つの第２ガイド滑動ブロックを並べて設け、第１ガイド滑動ブロックは、第１ガイド滑動溝内で滑動することができ、第２ガイド滑動ブロックは、第２ガイド滑動溝内で滑動でき、紙押圧トレイは、紙押圧トレイラックにおいて、上下滑動することができる請求項１に記載の給紙システム。
【請求項３】
前記紙押圧トレイラックの収容溝両側の溝壁前端上部にそれぞれ開口を開設し、歯車軸は、開孔内に枢着する請求項２に記載の給紙システム。
【請求項４】
前記紙押圧トレイラックの収容溝上端に両端が両側溝壁中部に延伸する係止板を設け、係止板中部下表面に固定柱を凸設し、紙押圧トレイラック底板上に円筒状の定位筒を設け、弾性部材一端は、定位筒内に収容され、他端は、固定柱上に被せ設けられ、紙押圧トレイラック及び紙押圧トレイの間に弾性係止される請求項２に記載の給紙システム。
【請求項５】
前記両側板上にそれぞれ前後に延伸する滑動溝を開設し、紙押圧トレイの２つの側板は、紙押圧トレイラックの収容溝の両側の溝壁の間にそれぞれ隙間を形成し、アームは、長形のアーム部を有し、アーム部一端は、歯車軸一端に被せ設けられ、且つアーム部他端は、一側へ向けて柱状のつり上げ部を凸設し、つり上げ部は、滑動溝内に伸入し、滑動溝に沿って前後に滑動することができる請求項２に記載の給紙システム。
【請求項６】
前記収容溝後端の溝壁中部に逃がし溝を開設し、収容溝後端の溝壁上の逃がし溝溝底壁は、後ろ向きに定位溝を延伸開設し、紙係止部材は、ストリップ板状の基板と、基板上端から一側へ湾折して延伸形成される枢着部と、基板下端縁両端箇所から下向きに延伸形成される紙係止部と、を含み、基板は、定位溝内に収容し、且つ定位溝内で上下方向に滑動することができる請求項２に記載の給紙システム。
【請求項７】
前記紙押圧トレイラックの収容溝両側壁溝内側の係止片前方にそれぞれ内向きに凸柱を凸設し、接続部材は、弧形板状を呈し、紙押圧トレイラックの凹柱が接続部材下方に伸入し、接続部材は、凸柱に沿って円弧曲線運動を行い、接続部材前端両側にそれぞれ外向きにピボット柱を形成し、接続部材後端に２つの枢着柱を形成し、紙押圧トレイラックの２つの側板上の滑動溝上方前部箇所に活動孔を開設し、ピボット柱により活動孔内に枢着し、接続部材及び紙押圧トレイラックを１つに枢着させ、枢着柱により枢着部内に枢着し、接続部材及び紙係止部材を１つの枢着させる請求項６に記載の給紙システム。
【請求項８】
前記給紙トレイ上に前後配列を呈する給紙溝及び２つの分紙溝を開設し、給紙トレイ上に分紙溝と並列する２つの紙係止溝を凹設し、紙係止部は、給紙トレイラックに垂直に紙係止溝内に伸入することができる請求項６に記載の給紙システム。
【請求項９】
前記給紙アセンブリは、給紙ローラ及び給紙ローラ後方に位置する分紙ローラを含み、給紙ローラ上端は、給紙溝を貫通し、給紙トレイ上表面に伸出し、分紙ローラ上端は、分紙溝を貫通し、給紙トレイラック上帆油面に伸出する請求項８に記載の給紙システム。
【請求項１０】
前記紙押圧アセンブリは、更に、紙押圧輪を含み、紙押圧トレイラック底板後部に横方向に延伸し且つ底板を貫通する紙押圧輪溝を開設し、紙押圧輪は、紙押圧輪溝内に枢着し、且つその下部は、紙押圧輪溝を貫通し、紙押圧トレイラックの底板下表面に伸出する請求項１に記載の給紙システム。
【考案の詳細な説明】
【技術分野】
【０００１】
本考案は、給紙システムに関し、特に、構造が簡単で且つコストが低い給紙システムに関する。
【背景技術】
【０００２】
公知の給紙機構は、一般に基台、給紙トレイ、伝動アセンブリ、給紙アセンブリ、紙押圧アセンブリ及び紙係止アセンブリを含む。そのうち、給紙トレイ、伝動アセンブリ、給紙アセンブリ、紙押圧アセンブリ、紙係止アセンブリは、何れも基台上に取り付けられ、給紙アセンブリは、給紙トレイ下方に取り付けられ、伝動アセンブリが含む給紙アセンブリ、紙押圧アセンブリ及び紙係止アセンブリは、何れも複数のモータで制御される。
【０００３】
しかしながら、上記給紙機構は、複数のモータで異なる構造アセンブリを制御して給紙機能を実現し、構造が複雑になり、製造コストが大幅に高くなっている。
【先行技術文献】
【特許文献】
【０００４】
【特許文献１】特開２０１２−６１６４２号公報
【考案の概要】
【考案が解決しようとする課題】
【０００５】
本考案の目的は、上記公知の不足に対して、給紙システムを提供することであり、該給紙システムは、構造が簡単で、製造コスト及び構造の複雑性を大幅に低減する。
【課題を解決するための手段】
【０００６】
上記目的を実現する為、本考案は、給紙システムを提供し、基台、伝動アセンブリ、給紙トレイ、給紙アセンブリ、紙押圧アセンブリ及び紙係止アセンブリを含む。伝動アセンブリは、基台上に固定設置される。給紙トレイの一端は、基台上に枢着される。給紙アセンブリは、基台上に取り付けられ、且つ給紙トレイ下方に位置する。紙押圧アセンブリは、伝動アセンブリにより駆動され、基台上に固定設置され、給紙トレイ上方に位置する。紙押圧アセンブリは、紙押圧トレイラックと、紙押圧トレイラック内に取り付けられる紙押圧トレイと、紙押圧トレイラック上に取り付けられ且つ伝動アセンブリの伝動を受ける歯車軸と、少なくとも１つのアームと、紙押圧トレイラック及び紙押圧トレイの間に取り付けられる弾性部材と、を含み、アームの一端が歯車軸の一端に固定設置され、他端が歯車軸により歯車軸の回転を連動し、紙押圧トレイ内に滑動設置される。紙係止アセンブリは、紙押圧トレイ及び紙押圧トレイラック上に取り付けられ、紙係止アセンブリは、紙係止部材及び接続部材を含み、紙係止部材は、給紙トレイに垂直に紙押圧トレイラック上に取り付けられ、接続部材一端は、紙押圧トレイ上に枢着し、他端は、紙係止部材上端に枢着する。そのうち、伝動アセンブリは、歯車軸の回転を伝動し、アームの振動を連動させ、紙押圧トレイを上向きに引き動かし、紙押圧トレイラックと揃うまで引き上げ、同時に弾性部材のバネのポテンシャルエネルギーを克服する必要があり、接続部材は、紙係止部材の下向きの移動を連動し、紙を係止することに用いられる。しかしながら、伝動アセンブリが反転して紙を動かす時、伝動アセンブリは、歯車軸を離脱し、アーム上の紙押圧トレイを上げる拘束力を消失させ、弾性部材が弾性ポテンシャルエネルギーを利用して紙押圧トレイを下方へ移動させ、紙係止部材の上向きの移動を連動し、紙係止機能を消失させる。
【考案の効果】
【０００７】
上記のように、本考案の給紙システムは、紙押圧アセンブリ及び紙係止アセンブリの構造により、伝動アセンブリにより歯車軸の時計回りの回転を伝動し、アームを連動し、紙押圧トレイを引き動かし、紙押圧トレイラック下表面と揃うまで引き上げ、弾性部材の弾性ポテンシャルエネルギーを克服させ、且つ接続部材により紙係止部材の下向きの移動を連動し、紙を係止する機能を実現し、載紙させることができる。給紙時、伝動アセンブリが反時計回りして歯車軸から離脱し、弾性部材を利用し、弾性ポテンシャルエネルギーを開放して紙押圧トレイを押して下向きに紙押圧運動させ、且つ接続部材により紙係止部材の上向きの移動を連動し、紙係止機能を消失させ、給紙させることができる。これにより、1つのモータ駆動で紙押圧及び紙係止の機能を達成し、本考案の給紙システムの構造が簡単で、製造コストが低いことを実現することができる。
【図面の簡単な説明】
【０００８】
【図１】本考案の給紙システムの実施例の立体図である。
【図２】図１に示す給紙システムの立体分解図であり、厚紙トレイラックに対し、部分切断を行った図である。
【図３】図１に示す給紙システムの紙を置いた状態の側面図である。
【図４】図１に示す給紙システムの給紙状態の側面図である。
【考案を実施するための形態】
【０００９】
本考案の技術内容、構造特徴、達成する目的及び効果を詳細に説明する為、以下に例を挙げ、図面を合わせて説明する。
【００１０】
図１〜図４を参照し、本考案の給紙システム１００は、駆動装置（図示せず）により駆動され、基台（図示せず）と、伝動アセンブリ（図中に符号を示さず）と、給紙トレイ３０と、給紙アセンブリと、紙押圧アセンブリと、紙係止アセンブリ（図中に符号を示さず）と、を含む。伝動アセンブリ、給紙トレイ３０、給紙アセンブリ、紙押圧アセンブリ及び紙係止アセンブリは、何れも基台上に取り付けられ、且つ伝動アセンブリは、駆動装置の駆動力を給紙アセンブリ及び紙押圧アセンブリに伝達し、本実施例中の駆動装置は、モータである。
【００１１】
図２を参照し、前記給紙トレイ３０後端は、基台上に枢着され、用紙を載置することに用いる。給紙トレイ３０上に前後に配列を呈する給紙溝３２及び２つの分紙溝３３を開設し、給紙トレイ３０上に分紙溝３３と並列する２つの紙係止溝３１を凹設する。
【００１２】
前記給紙アセンブリは、基台上に取り付けられ、給紙トレイ３０下方に位置する。給紙アセンブリは、給紙ローラ４１及び給紙ローラ４１後方に位置する分紙ローラ４２を含む。給紙ローラ４１上端は、給紙溝３２を貫通し、給紙トレイ３０上表面に伸出し、分紙ローラ４２上端は、分紙溝３３を貫通し、給紙トレイ３０上表面に伸出し、該給紙ローラ４１は、紙押圧アセンブリの補助の下、一定の正方向の力で用紙を送ることができる。
【００１３】
前記紙押圧アセンブリは、基台上に固定設置され、給紙トレイ３０上方に位置する。紙押圧アセンブリは、紙押圧トレイラック５１と、紙押圧トレイラック５１内に取り付けられる紙押圧トレイ５２と、紙押圧トレイラック５１上に取り付けられ且つ伝動アセンブリの伝動を受ける歯車軸５３と、２つのアーム５４と、紙押圧トレイラック５１及び紙押圧トレイ５２の間に取り付けられる弾性部材５５と、紙押圧輪５６と、を含む。紙押圧トレイラック５１は、給紙トレイ３０上方に設置される。２つのアーム５４の一端は、それぞれ歯車軸５３の一端上に固定設置され、他端は、歯車軸５３により歯車軸５３の回転を連動し、紙押圧トレイ５２内に水平に滑動設置される。弾性部材５５は、紙押圧トレイラック５１及び紙押圧トレイ５２の間に弾性係止される。紙押圧輪５６は、紙押圧トレイ５２内に枢着され、且つその下部が紙押圧トレイ５２下表面に伸出する。
【００１４】
具体的には、紙押圧トレイ５１前端中部は、収容溝５１１を開設し、紙押圧トレイラック５１上の収容溝５１１両側の溝壁前端上部にそれぞれ開口５１２を開設し、歯車軸５３は、開口５１２内に枢着される。紙押圧トレイラック５１上の収容溝５１１両側の溝壁の後端付近箇所にそれぞれ内向きに上下に延伸する係止片５１３を凸設形成し、各係止片５１３及び収容溝５１１後端の溝壁の間に第１ガイド滑動溝５１４を形成し、紙押圧トレイラック５１上の収容溝５１１前端の溝壁上に２つの上下に延伸する第２ガイド滑動溝５１５を並べて開設する。収容溝５１１両側の溝壁内側の係止片５１３前方にそれぞれ内向きに凸柱５１６を凸設し、収容溝５１１上端に両端が両側の溝壁中部まで延伸する係止板５１７を設け、係止板５１７中部の下表面に固定柱５１８を凸設し、収容溝５１１後端溝壁中部に逃がし溝５１９を開設し、収容溝５１１後端の溝壁上の逃がし溝５１９の溝底壁が後方へ延伸し、定位溝５１０を開設する。
【００１５】
紙押圧トレイ５２は、上下に滑動でき、紙押圧トレイラック５１の収容溝５１１内に取り付けられる。紙押圧トレイ５２は、底板５３１、２つの側板５２２及び前板５２３を有する。そのうち、前板５２３外表面下端は、前方上向きに傾斜延伸する斜面を呈し、紙送りに便利である。底板５２１後部に横方向に延伸し且つ底板５２１を貫通する紙押圧輪溝５２４を開設し、紙押圧輪５６は、紙押圧輪溝５２４内に取り付けられ、且つその下部は、紙押圧輪溝５２４を貫通し、紙押圧トレイ５２の底板５２１下表面に伸出する。底板５２１上の紙押圧輪溝５２４前方に円筒状の定位筒５２５を設ける。２つの側板５２２上にそれぞれ前後に延伸する滑動溝５２６を開設し、２つの側板５２２後端は、それぞれ外向きに延伸し、第１ガイド滑動ブロック５２７を形成する。前板５２３上は、２つの上下に延伸する第２ガイド滑動ブロック５２８を並べて設け、２つの側板５２２上の滑動溝５２６上方前部箇所に前後に延伸する楕円形の活動孔５２９を開設する。紙押圧トレイ５２の２つの側板５２２及び紙押圧トレイラック５１の収容溝５１１両側の溝壁の間にそれぞれ隙間５７（図中に符号を示さず）を形成する。第１ガイド滑動ブロック５２７は、第１ガイド滑動溝５１４内で滑動でき、第２滑動ブロック５２８は、第２滑動溝５１５内で滑動でき、紙押圧トレイ５２を紙押圧トレイラック５１において上下に滑動させることができる。
【００１６】
アーム５４は、長形のアーム部５４１を有し、アーム５４１一端は、固持孔５４２を開設し、アーム部５４１他端は、一側へ向けて柱状のつり上げ部５４３を凸設し、固持孔５４２は、歯車軸５３一端に固定して被せ設けられ、且つアーム部５４１が隙間５７内に収容され、つり上げ部５４３は、滑動溝５２６内に伸入し、滑動溝５２６に沿って前後に滑動することができる。
【００１７】
弾性部材５５一端は、定位筒５２５内に収容されることができ、他端は、固定柱５１８上に被せ設けられ、紙押圧トレイラック５１及び紙押圧トレイ５２の間に弾性係止される。
【００１８】
前記伝動アセンブリは、基台一側に固定設置され、伝動アセンブリは、駆動装置に駆動される駆動歯車２１と、駆動歯車２１と噛合い且つ歯車軸５３と同軸接続する伝動輪２２と、を含み、伝動輪２２は、歯車軸５３の回転を連動する。
【００１９】
前記紙係止アセンブリは、紙押圧トレイ５２の両側の楕円形の活動孔５２９に取り付けられ、紙押圧トレイラック５１の定位溝５１０に制限され、紙係止アセンブリは、紙係止部材６１及び接続部材６２を含む。紙係止部材６１は、給紙トレイ３０に垂直に紙押圧トレイラック５１上に取り付けられ、接続部材６２一端は、紙押圧トレイ５２上に枢着し、他端は、紙係止部材６１上端に枢着する。そのうち、伝動アセンブリは、歯車２１を伝動し、歯車軸５３に噛み合い、アーム５４の振動を回転連動し、紙押圧トレイ５２を引き動かし、上向きに紙押圧トレイラック５１下表面に揃うまで持ち上げ、同時に弾性部材５５の弾性ポテンシャルエネルギーを克服する必要があり、接続部材６２により紙係止部材６１の下向きの移動を連動し、紙係止部材６１を紙係止位置に位置させ、紙係止に用いられる。その後、伝動アセンブリが反転し、用紙を送る時、駆動歯車２１を利用し、歯車軸５３から離脱し、アーム５４を持ち上げ、紙押圧トレイ５２の拘束力を消失させ、弾性部材５５は、紙押圧トレイラック５１の下向きの移動を弾性係止することができ、接続部材６２により紙係止部材６１の上向きの移動を連動し、紙係止機能を消失させる。具体的には、紙係止部材６１は、ストリップ板状の基板６１１と、基板６１１上端から一側へ環形に湾折し、延伸形成される枢着部６１２と、基板６１１下端縁の両端箇所から下向きに延伸形成される紙係止部６１３と、を有する。基板６１１は、定位溝５１０内に収容され、且つ定位溝５１０内で上下方向に滑動することができる。接続部材６２は、弧形板状を呈し、紙押圧トレイラック５１の凸柱５１６は、接続部材６２下方に伸入し、接続部材６２を凸柱５１６に沿って円弧曲線運動させ、接続部材６２前端の両側がそれぞれ外向きに延伸し、ピボット柱６２１を形成し、接続部材６２後端に２つの枢着柱６２２を形成し、ピボット柱６２１により活動孔５２９内に枢着し、接続部材６２を紙押圧トレイ５２と１つに枢着させ、枢着柱６２２により枢着部６１２内に枢着し、接続部材６２及び紙係止部材６１を１つに枢着させる。
【００２０】
図３及び図４を参照し、本考案の給紙システム１００の動作原理は、以下のとおりである。
図３を参照し、起動時、モータが反転し、伝動アセンブリにより歯車２１を伝動し、伝動輪２２の時計回りの回転を連動し、歯車軸５３によりアーム５４の時計回りの回転を連動し、アーム５４のつり上げ部５４３が歯車軸５３を回り、上向きに回転し、つり上げ部５４３が滑動溝５２６で前後に滑動し、紙押圧トレイ５２を押して持ち上げ、同時にモータが駆動を持続し、紙押圧アセンブリに拘束力を伝達し、弾性部材５５の弾性ポテンシャルエネルギーを克服し、同時に、紙押圧トレイ５２が接続部材６２を連動し、凸柱５１６に沿って円弧曲線運動し、接続部材６２の発生する連動力が紙係止部材６１の枢着する前端の動作を連動し、紙係止部材６１の下向きの移動を連動し、紙係止部６１３は、給紙トレイ３０に垂直に紙係止溝３１内に伸入する。この状態において、紙押圧アセンブリが持ち上がり、紙係止アセンブリが下向きに移動し、紙係止し、使用者のシート載置に便利になる。
【００２１】
用紙が給紙トレイ３０に載置され、紙係止アセンブリの紙係止部６１３は、給紙トレイ３０に垂直に紙係止溝３１内に伸入し、シートの前進を制限する。
【００２２】
図４を参照し、シートが給紙トレイ３０に載置された後にセンサ（図示せず）にタッチし、モータが正方向回転を開始し、伝動アセンブリが駆動歯車２１を離脱し、モータの駆動が伝達され、紙押圧アセンブリの拘束力を消失させ、弾性部材５５は、弾性ポテンシャルエネルギーを利用し、紙押圧トレイ５２を押して、下向きに移動させ、アーム５４のつり上げ部５４３が滑動溝５２６内で滑動し、且つ下向きに振動し、紙押圧輪５６まで用紙を給紙ローラ４１上方へ押し、給紙ローラ４１の給紙に必要な正方向の力を提供し、同時に、接続部材６２は、凸柱５１６に沿って円弧曲線運動を行い、接続部材６２の紙押圧トレイ５２と枢着する前端が下向きに移動し、接続部材６２の紙係止部材６１と枢着する後端が持ち上がり、紙係止部材６１の上向きの移動を連動し、紙係止部６１３が給紙トレイ３０の紙係止溝３１から離脱し、紙係止機能を消失させ、シートを通過させることができる。
【００２３】
給紙終了後、モータが反転し、紙押圧アセンブリが持ち上がり、給紙前の状態に回復し、紙係止部６１３が紙係止機能の位置に復位する。
【００２４】
上記のように、本考案の給紙システム１００は、紙押圧アセンブリ及び紙係止アセンブリの構造により、伝動アセンブリが駆動歯車２１を利用し、歯車軸５３の時計回りの回転を伝動し、アーム５４を連動し、紙押圧トレイ５２を引き動かし、紙押圧トレイラック５２１の下表面と揃うまで上向きに引き上げ、弾性部材５５の弾性ポテンシャルエネルギーを克服し、且つ接続部材６２により紙係止部材６１の下向きに移動を連動し、紙係止機能を実現し、紙を安置させることができる。紙給紙時、伝動アセンブリが反時計回りに駆動歯車２１を利用し、歯車軸５３及びアーム５４を離脱し、弾性部材５５を利用し、弾性ポテンシャルエネルギーを開放し、紙押圧トレイ５２を押し下げ、下向きに紙押圧運動させ、且つ接続部材６２により紙係止部材６１の上向きの移動を連動し、紙係止機能を消失させ、給紙を行うことができる。これにより、１つのモータの駆動で紙押圧及び紙係止の機能を達成し、本考案の給紙システム１００の構造が簡単で、製造コストが低いことを実現する。
【００２５】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２６】
１００  給紙システム
２１  駆動歯車
２２  歯車
３０  給紙トレイ
３１  紙係止溝
３２  給紙溝
３３  分紙溝
４１  給紙ローラ
４２  分紙ローラ
５１  厚紙トレイラック
５１０  定位溝
５１１  収容溝
５１２  開口
５１３  係止片
５１４  第１ガイド滑動溝
５１５  第２ガイド滑動溝
５１６  凸柱
５１７  係止板
５１８  固定柱
５１９  逃がし溝
５２  厚紙トレイ
５２１  底板
５２２  側板
５２３  前板
５２４  紙押圧輪溝
５２５  定位筒
５２６  滑動溝
５２７  第１ガイド滑動ブロック
５２８  第２ガイド滑動ブロック
５２９  活動孔
５３  歯車軸
５４  アーム
５４１  アーム部
５４２  保持部
５４３  つり上げ部
５５  弾性部材
５６  紙押圧輪
６１  紙係止部材
６１１  基板
６１２  枢着部
６１３  紙係止部
６２  接続部材
６２１  ピボット柱
６２２  枢着柱
【図１】
0003189147.tif 000003
【図２】
0003189147.tif 000004
【図３】
0003189147.tif 000005
【図４】
0003189147.tif 000006